(57)【要約】【課題】前部クラッチパネルと後部クラッチパネルを前後に分割して着脱自在に構成することで、個々のメンテナンスが容易に行えるようにし、また、後部クラッチパネルには前部クラッチパネルの外側方に沿わせて延出する延出パネル部を設けることによってレバーガイドの新設容易化並びに各種レバーの分解、組立の容易化を図る。【解決手段】 運転席（５）の横側部に設置されたサイド操作ボックス（９）上には、レバーガイド溝（１１）を備えた前部クラッチパネル（１２）とレバーガイド溝（１５）を備えた後部クラッチパネル（１３）を前後に分割して設けると共に、後部クラッチパネル（１３）を着脱可能に構成して設け、後部クラッチパネル（１３）にはこの外側延出部より前部クラッチパネル（１２）の側方を経て前部にまで延びる延出パネル部（１３ａ）を設ける。【選択図】      図４
2013094105.tif 000002
【特許請求の範囲】
【請求項１】
運転席（５）の横側に設置されたサイド操作ボックス（９）上に、レバーの操作案内用のガイド溝（１１，１５）を備えた操作パネルを設け、該操作パネルを前部操作パネル（１２）と後部操作パネル（１３）とに前後に分割し、前記後部操作パネル（１３）には、該後部操作パネル（１３）の外側延出部から前部操作パネル（１２）の側方を経て前方に延びる延出パネル部（１３ａ）を一体的に設け、該後部操作パネル（１３）をサイド操作ボックス（９）上に着脱可能に構成したコンバインの操作部構造。
【請求項２】
前記前部操作パネル（１２）に主変速レバー（１０）用のガイド溝（１１）を形成した請求項１記載のコンバインの操作部構造。
【請求項３】
前記後部操作パネル（１３）の外側に防塵用のゴム垂れ（２３）を垂下させて設けた請求項１又は請求項２記載のコンバインの操作部構造。
【請求項４】
前記延出パネル部（１３ａ）の前部にスロットルレバー（１９）用のガイド溝（２０）を設けた請求項１又は請求項２又は請求項３記載のコンバインの操作部構造。
【請求項５】
前記前部操作パネル（１２）および後部操作パネル（１３）を取り付ける前後のフレーム（１６，１７）を、後部側のフレーム（１７）が前部側のフレーム（１６）よりも高くなる階段状に構成し、前部側のフレーム（１６）の低位置にスロットルユニット（２５）を配置した請求項１から請求項４のいずれか一項記載のコンバインの操作部構造。
【発明の詳細な説明】
【技術分野】
【０００１】
この発明は、コンバインの操作部構造に関する。
【背景技術】
【０００２】
従来、運転席の左横側にあるサイド操作ボックス上には、変速レバーや副変速レバーなどを操作するためのレバーガイドを備えた前部操作パネルが設けられ、前部操作パネルの後方側には刈取クラッチレバー、脱穀クラッチレバーなどのレバーガイドを備えた後部操作パネルが設けられている。そして、これら前部操作パネル及び後部操作パネルは樹脂等によって一体成形されたものである（例えば、許文献１参照）。
【先行技術文献】
【特許文献】
【０００３】
【特許文献１】特開２０１０−６３３６９号公報
【発明の概要】
【発明が解決しようとする課題】
【０００４】
本発明の課題は、前部操作パネルと後部操作パネルを前後に分割して着脱自在に構成することで、個々のメンテナンスが容易に行えるようにし、また、後部操作パネルには前部操作パネルの外側方に沿わせて延出する延出パネル部を設けることによってレバーガイドの新設容易化並びに各種レバーの分解、組立の容易化を図ることを目的とする。
【課題を解決するための手段】
【０００５】
この発明は、上記課題を解決すべく次のような技術的手段を講じた。
すなわち、請求項１記載の発明は、運転席（５）の横側に設置されたサイド操作ボックス（９）上に、レバーの操作案内用のガイド溝（１１，１５）を備えた操作パネルを設け、該操作パネルを前部操作パネル（１２）と後部操作パネル（１３）とに前後に分割し、前記後部操作パネル（１３）には、該後部操作パネル（１３）の外側延出部から前部操作パネル（１２）の側方を経て前方に延びる延出パネル部（１３ａ）を一体的に設け、該後部操作パネル（１３）をサイド操作ボックス（９）上に着脱可能に構成したコンバインの操作部構造とする。
【０００６】
操作パネルは前後に分割されているので、個々のメンテナンスが容易に行える。後部操作パネル（１３）は、前部操作パネル（１２）に対して単独で簡単に取外しすることができ、延出パネル部（１３ａ）も後部操作パネル（１３）と一緒に取り外すことができるので、各種レバーの分解、組立が容易にできる。延出パネル部（１３ａ）には必要に応じてガイド溝を新設することができ、レバー操作が容易にできる。
【０００７】
請求項２記載の発明は、前記前部操作パネル（１２）に主変速レバー（１０）用のガイド溝（１１）を形成した請求項１記載のコンバインの操作部構造とする。
上記構成によると、前部操作パネル（１２）の内側に変速レバー（１０）のガイド溝を構成する別のパネルが不要となり、前部操作パネル（１２）自体によってガイド溝（１１）を構成することができて安価に実施できる。
【０００８】
請求項３記載の発明は、前記後部操作パネル（１３）の外側に防塵用のゴム垂れ（２３）を垂下させて設けた請求項１又は請求項２記載のコンバインの操作部構造とする。
後部操作パネル（１３）を取り外したときには、ゴム垂れ（２３）も一緒に取り外しできるので、メンテナンス時に作業の邪魔にならない。
【０００９】
請求項４記載の発明は、前記延出パネル部（１３ａ）の前部にスロットルレバー（１９）用のガイド溝（２０）を設けた請求項１又は請求項２又は請求項３記載のコンバインの操作部構造とする。
【００１０】
上記構成によると、スロットルレバー（１９）の調整時には、簡単にパネルを取り外すことができるので、調整が容易に行える。
請求項５記載の発明は、前記前部操作パネル（１２）および後部操作パネル（１３）を取り付ける前後のフレーム（１６，１７）を、後部側のフレーム（１７）が前部側のフレーム（１６）よりも高くなる階段状に構成し、前部側のフレーム（１６）の低位置にスロットルユニット（２５）を配置した請求項１から請求項４のいずれか一項記載のコンバインの操作部構造とする。
【００１１】
上記構成によると、前部側のフレーム（１６）を低く、後部側のフレーム（１７）を高くすることで、スロットルユニット（２５）を支持するに充分なスペースを確保でき、コンパクトに構成することができる。
【発明の効果】
【００１２】
請求項１記載の発明によれば、操作パネルを前後に分割することで、個々のメンテナンスが容易に行える。
また、後部操作パネル（１３）は、前部操作パネル（１２）に対して簡単に取外しすることができ、延出パネル部（１３ａ）にあっても後部操作パネル（１３）と一緒に取り外すことができるで、各種レバーの分解、組付けが容易にできる。
【００１３】
請求項２記載の発明によれば、請求項１記載の発明の効果に加えて、前部操作パネル（１２）の内側に主変速レバー（１０）用のガイド溝を有する別のパネルが不要となり、前部操作パネル（１２）自体によってガイド溝を構成するので、従来のような２重構成を要せず、安価に実施することができる。
【００１４】
請求項３記載の発明によれば、請求項１又は請求項２記載の発明の効果に加えて、後部操作パネル（１３）を取り外したときには、ゴム垂れ（２３）も一緒に取り外しができるので、メンテナンス時に作業の邪魔にならず、作業が能率よく行える。
【００１５】
請求項４記載の発明によれば、請求項１又は請求項２又は請求項３記載の発明の効果に加えて、スロットルレバー（１９）の調整時には、簡単に延出パネル部（１３ａ）を取り外すことができるので、レバー調整を容易に行うことができる。
【００１６】
請求項５記載の発明によれば、請求項１から請求項４のいずれか一項に記載の効果に加えて、前部側のフレーム（１６）を低くすることで、スロットルユニット（２５）を装着するに足る充分なスペースを確保でき、コンパクトに構成することができる。
【図面の簡単な説明】
【００１７】
【図１】コンバインの左側面図
【図２】コンバインの正面図
【図３】コンバインの運転操作部の側面図
【図４】同上要部の平面図
【図５】コンバイン要部の右側面図
【図６】同上要部の側面図
【図７】同上要部の平面図
【図８】運転操作ボックスの平面図
【図９】運転操作部の要部の右側面図
【図１０】同上要部の正面図
【図１１】同上要部の平面図
【図１２】走行クローラの要部の側面図
【図１３】同上別実施例の側面図
【図１４】同上別実施例の側面図
【図１５】油圧回路図
【発明を実施するための形態】
【００１８】
この発明の実施例を図面に基づき説明する。
コンバインの走行車体１には、左右一対の走行クローラ２，２を備え、後部に搭載した脱穀部（脱穀装置）３の前方部に刈取部４を設置し，刈取部４の横側部には運転席５や操作ボックス６等からなる運転操作部を備え、更に、その運転操作部の後方には脱穀粒を一時的に貯留するグレンタンクＧを装備している。
【００１９】
脱穀部３は、脱穀フィードチエンにより株元を挟持しながら搬送される穀稈の穂先部を扱室内で駆動回転する扱胴により脱穀処理するよう構成している。
刈取部４は、分草後の穀稈を引き起す引起し装置４ａ、引起し後の穀稈を刈り取る刈取装置４ｂ、刈取後の穀稈を掻込搬送する掻込搬送装置、掻込搬送後の穀稈を脱穀部に揚上搬送する揚上搬送装置４ｃ等からなる。
【００２０】
操作ボックス６は、運転席５の前側に位置しパワステレバー７を備えたフロント操作ボックス８と運転席５の左側部に配置するサイド操作ボックス９からなる。
サイド操作ボックス９上には、主変速レバー（ＨＳＴレバー）１０のガイド溝１１を備えた前部操作パネル１２と、副変速レバー１４などのガイド溝１５を備えた後部操作パネル１３を前後二つに分割して設け、前部操作パネル１２は、前部側を低くした前部フレーム１６に取付支持し、後部操作パネル１３は、後部側を高くした後部フレーム１７にステー１８を介して着脱自在にボルト止めしている。
【００２１】
前記後部操作パネル１３には、この左外側延出部より前部操作パネル１２の左側方を経てこれの前部にまで延びる延出パネル部１３ａを一体的に連設した構成としている。なお、後部操作パネル１３を後部フレーム１７から取り外すと、延出パネル部１３ａも一緒に取り外しができるようになっている。
【００２２】
そして、この延出パネル部１３ａの前部側には、スロットルレバー１９の前後方向の操作を案内するガイド溝２０を設けてあり、また、延出パネル部１３ａの後部側には刈脱クラッチレバー（刈取脱穀クラッチレバー）２１の操作を案内する刈脱ガイド溝２２を設けた構成としている。
【００２３】
なお、前部操作パネル１２の左側にスロットルレバーを配置した場合には、後部操作パネルを外すとスロットルレバーがむき出しになり、メンテナンスが容易で、スロットレバー溝の加工が不要となる。
【００２４】
後部操作パネル１３の左側には藁屑などの侵入を防ぐゴム垂れ２３を取り付けて下方に垂下させている。
前後の操作パネル１２，１３を取付支持する後部フレーム１７は高く、前部フレーム１６は後部側より低くなるように階段状に構成している。そして、後部側より低くした前部側の低い位置にレバー１９のスロットルユニット２５を配置して支持するように構成している。
【００２５】
スロットルレバー１９は、支持プレート２６に軸受保持された支点軸２７を支点として前後に揺動操作できる構成であり、スロットルアーム２８の作動によりスロットルワイヤー２９を押し引きするようになっている。駆動ギヤ３０は、スロットルレバー１９と支点軸２７周りに一体回動するようになっており、モータＭによってピニオンギヤ３３を介して駆動されるようになっている。なお、前記駆動ギヤ３０の前方は、前記延出パネル部１３ａの前方延出部でガードするようになっている。
【００２６】
支持プレート２６は、フロント操作フレーム３１と、前部フレーム１６と後部フレーム１７とを繋ぐ繋ぎ部材３２とにわたって着脱自在に連結保持させている。
図８〜図１１例について説明すると、刈脱クラッチレバー２１の左右方向の操作で刈取ＳＷ３５を「入」「切」させる構成のものにおいて、副変速レバー１４を「走行速」位置に操作すると、該副変速レバー１４に取り付けた牽制ガイド板３６により、刈取クラッチ「切」方向、つまり、刈脱クラッチレバー２１を切り方向に作動させるべく連動構成している。この構成によると、走行速での刈取作業を未然に防止することができ、常に適正な刈取速度でもって作業を行うことができる。
【００２７】
走行クローラのイコライザ装置について説明すると、図１２例では、横軸３８を回動支点として前後の転輪３９Ｆ１，３９Ｒ１及び３９Ｆ２，３９Ｒ２を揺動可能に装備したイコライザ４０を２個装備して互いに交差させて配置し、各イコライザ４０，４０の前側の転輪３９Ｆ１，３９Ｆ２の外径は、後側の転輪３９Ｒ１，３９Ｒ２の外径よりも大きくしている。この構成によると、各イコライザの前側の径を大きくすることで、障害物を乗り越えるときのショックを小さくすることができる。
【００２８】
図１３例では、前転輪３９Ｆ１と後転輪３９Ｒ２を径大とし、前転輪３９Ｆ２と後転輪３９Ｒ１は、前記前転輪３９Ｆ１、後転輪３９Ｒ２のそれよりも小径としている。かかる構成によっても、図１２例と同様に障害物を乗り越えるときのショックを小さくすることができる。
【００２９】
また、図１４例に示すように、各イコライザの後転輪３９Ｒ１，３９Ｒ２の径を、前側のイコライザの転輪（３９Ｆ１，３９Ｆ２）径よりも大きくすることで、上記と同様の効果を奏することができる。
【００３０】
通常作業中、油圧回路は通常に作動するが、図１５に示すように、ウインカスイッチ４２が左又は右に「ＯＮ」になった場合は、路上走行時の高速旋回が起こることを予測し、予め、パワーステアリングのパワステ油圧回路４３を電子制御部４４の出力により高圧低圧切替部４５を制御して高圧側から低圧側に切り替えるように構成しておくと、高速移動時におけるパワステレバー７による左右旋回操作時に機体が急激に旋回してオペレータが振り落とされる等の不測の事故を未然に防止することができる。
【符号の説明】
【００３１】
５    運転席
９    サイド操作ボックス
１０    主変速レバー
１１    ガイド溝
１２    前部操作パネル    
１３    後部操作パネル
１３ａ  延出パネル部
１６    前部フレーム（前部側のフレーム）
１７    後部フレーム（後部側のフレーム）
１９    スロットルレバー
２３    ゴム垂れ
２５    スロットルユニット
【図１】
2013094105.tif 000003
【図２】
2013094105.tif 000004
【図３】
2013094105.tif 000005
【図４】
2013094105.tif 000006
【図５】
2013094105.tif 000007
【図６】
2013094105.tif 000008
【図７】
2013094105.tif 000009
【図８】
2013094105.tif 000010
【図９】
2013094105.tif 000011
【図１０】
2013094105.tif 000012
【図１１】
2013094105.tif 000013
【図１２】
2013094105.tif 000014
【図１３】
2013094105.tif 000015
【図１４】
2013094105.tif 000016
【図１５】
2013094105.tif 000017